(57)【要約】【課題】ゴミや落ち葉等によるストレーナー網部分での目詰まりを低減でき、円滑な排水を可能とした軒先排水構造を提供する。【解決手段】建物１の最上階もしくは途中階の軒先の立上り部５に排水管６が埋設され、排水管６が立上り部５の屋外側にある樋７に通じている排水構造において、立上り部５の屋内側には凹部９があり、凹部９にストレーナー網１１が配設され、ストレーナー網１１に排水管６の開口が臨んでいる。ストレーナー網１１が、凹部９の立面部１１ｂと、立面部１１ｂに連続する平面部１１ａとを有している。立上り部５の根元には側溝３Ｂが設けられており、側溝３Ｂには排水管６に向かう水勾配（高位置Ｈ、低位置Ｌ）が形成されている。【選択図】図２
2018105016.tif 000002
【特許請求の範囲】
【請求項１】
建物の最上階もしくは途中階の軒先の立上り部に排水管が埋設され、該排水管が該立上り部の屋外側にある樋に通じている排水構造において、
前記立上り部の屋内側には凹部があり、該凹部にストレーナー網が配設され、該ストレーナー網に前記排水管の開口が臨んでいる、軒先排水構造。
【請求項２】
前記ストレーナー網が、前記凹部内に位置する立面部と、該立面部に連続する平面部とを有する、請求項１に記載の軒先排水構造。
【請求項３】
オーバーフロー排水管が前記立上り部に埋設されており、該オーバーフロー排水管の一端が前記排水管の途中位置に連通し、該オーバーフロー排水管の他端が前記凹部の上方位置で該立上り部の屋内側の側面に臨んでおり、該他端に補助ストレーナー網が配設されている、請求項１または２に記載の軒先排水構造。
【請求項４】
前記立上り部の根元には側溝が設けられており、該側溝には前記排水管に向かう水勾配が形成されている、請求項１〜３のいずれか一項に記載の軒先排水構造。
【請求項５】
前記樋が竪樋である、請求項４に記載の軒先排水構造。
【請求項６】
前記凹部の屋内側から見た正面形状が矩形であり、該矩形を構成する二つの立上り辺にそれぞれ、前記凹部から屋内側へ突出するフランジが設けられている、請求項１〜５のいずれか一項に記載の軒先排水構造。
【発明の詳細な説明】
【技術分野】
【０００１】
本発明は、陸屋根を備える建物において、雨水等を排水する軒先排水構造に関する。
【背景技術】
【０００２】
従来、この種の軒先排水構造として、フロアと立壁とが成す隅部のフロア側上面に嵌め込まれるトレイ状の水受け容器及び隅部の立壁側に挿入される排水管接続部を有するドレイン本体と、水受け容器の上面を被覆する横向きカバー部及び排水管接続部の入側開口を被覆する縦向きカバー部を有し、両カバー部に複数の取水口を開口したドレインカバーと、を備えた横引きドレインがある。この横引きドレインは、横向きカバー部の少なくとも一部をドレインカバーの残りの部分に対しヒンジ連結された開閉自在な蓋体として構成されている（例えば、特許文献１参照）。
【先行技術文献】
【特許文献】
【０００３】
【特許文献１】特開平１０−２３１５９２号公報
【発明の概要】
【発明が解決しようとする課題】
【０００４】
ところで、前記構造の横引きドレインは、ドレインカバーを取り外すことなく内部の清掃をおこない得る効果があるが、立壁面と縦向きカバー部とが同一面となっているため、立壁面に連続する縦向きカバー部に沿って、ゴミや落ち葉等が堆積して目詰まりを起こす恐れがあり、目詰まりを起こすことで雨水の排水や屋根部を洗浄した洗浄水等が滞ることがあった。
【０００５】
本発明は、このような問題に鑑みてなされたものであって、その目的とするところは、強風等で吹き飛ばされたゴミや落ち葉等によるストレーナー網部分での目詰まりを低減でき、円滑な排水を可能とした軒先排水構造を提供することにある。
【課題を解決するための手段】
【０００６】
前記目的を達成すべく、本発明に係る軒先排水構造は、建物の最上階もしくは途中階の軒先の立上り部に排水管が埋設され、該排水管が該立上り部の屋外側にある樋に通じている排水構造において、前記立上り部の屋内側には凹部があり、該凹部にストレーナー網が配設され、該ストレーナー網に前記排水管の開口が臨んでいることを特徴とする。
【０００７】
前記のごとく構成された本発明の軒先排水構造では、立上り部の屋内側にある凹部にストレーナー網が配設され、ストレーナー網は立上り部の屋内側の側面から窪んだ位置に配設されているため、強風等で吹き飛ばされたゴミや落ち葉等は凹部の角のエッジ部でせきとめられ、ストレーナー網の近傍に堆積して目詰まりが生じることが解消される。そのため、雨水等がストレーナー網を通過することが保証され、排水を円滑におこなうことが可能になる。
【０００８】
また、本発明に係る軒先排水構造の好ましい他の態様としては、前記ストレーナー網が、前記凹部内に位置する立面部と、該立面部に連続する平面部とを有することを特徴としている。ここで、前記立面部は垂直面に限らず、若干傾斜した立面であってもよく、前記平面部は水平面に限らず、若干勾配のある平面であってもよい。
【０００９】
このように構成された軒先排水構造では、凹部内に位置する立面部と、該立面部に連続する平面部に亘ってストレーナー網があるため、例えば平面部のストレーナー網がゴミや落ち葉で塞がっても、立面部のストレーナー網を通して排水できるため、円滑な排水を維持することができる。
【００１０】
また、本発明の軒先排水構造の他の態様では、オーバーフロー排水管が前記立上り部に埋設されており、該オーバーフロー排水管の一端が前記排水管の途中位置に連通し、該オーバーフロー排水管の他端が前記凹部の上方位置で該立上り部の屋内側の側面に臨んでおり、該他端に補助ストレーナー網が配設されていることを特徴としている。
【００１１】
このように構成された軒先排水構造では、仮にストレーナー網にゴミや落ち葉等が堆積して排水が滞って水位が上昇しても、雨水をオーバーフロー排水管から排水できるため、軒先の立上り部の上部からのあふれ水を防止することができる。尤も、オーバーフロー排水管の一端の開口の下方に凹部が存在することから、ストレーナー網にゴミや落ち葉等が堆積する可能性は極めて低い。
【００１２】
また、本発明の軒先排水構造の他の態様では、前記立上り部の根元には側溝が設けられており、該側溝には前記排水管に向かう水勾配が形成されていることを特徴としている。このように構成された本発明の軒先排水構造では、降雨の際に屋根面やバルコニー面に降った雨水は側溝に集められ、側溝の水勾配により排水管の方向に流されるため、雨水等の排水を円滑におこなうことができる。さらに、側溝を介して雨水を集水することから、軒樋の設置を不要にでき、部品点数の削減に繋がる。
【００１３】
本発明の軒先排水構造の好ましい他の態様では、前記樋が竪樋であることを特徴としている。この構成によれば、ストレーナー網を通して排水された雨水等は、竪樋を経由して処理されるため、建物の外壁面等の汚れを防止することができる。また、前記するように、軒樋の設置は不要となり、竪樋のみの適用でよい。
【００１４】
さらに、本発明に係る軒先排水構造の好ましい態様としては、前記凹部の屋内側から見た正面形状が矩形であり、該矩形を構成する二つの立上り辺にそれぞれ、前記凹部から屋内側へ突出するフランジが設けられていることを特徴としている。このように構成された軒先排水構造では、凹部から屋内側に突出するフランジによりゴミや落ち葉等をより一層効果的にせき止めることができ、より一層円滑な排水を保証することができる。
【発明の効果】
【００１５】
本発明の軒先排水構造によれば、ゴミや落ち葉等の堆積物によるストレーナー網の目詰まりを解消もしくは低減することができ、雨水等の円滑な排水が可能となる。
【図面の簡単な説明】
【００１６】
【図１】本発明に係る軒先排水構造を適用した２階建ての建物の概略斜視図である。
【図２】図１のＡ部を示す要部の垂直方向断面図である。
【図３】図１のＡ部以外の要部の垂直方向断面図である。
【図４】図１のＡ部の詳細を示す図であり、（ａ）は本発明の特徴構成である凹部を形成するスペーサの要部斜視図であり、（ｂ）は建物の壁材に排水管とストレーナー網の受具を固定した状態の要部斜視図であり、（ｃ）は（ａ）と（ｂ）とを組み合わせストレーナー網を装着する状態の要部斜視図である。
【図５】（ａ）は本発明に係る軒先排水構造の変形例を示す要部斜視図であり、（ｂ）は（ａ）の要部水平方向断面図であり、（ｃ）は他の変形例を示す要部水平方向断面図である。
【図６】（ａ）は図１のＢ部を示す要部の垂直方向断面図であり、（ｂ）は（ａ）で用いる排水管ユニットの断面図である。
【図７】図１のＢ部の詳細を示す図であり、（ａ）は凹部を形成するスペーサの要部斜視図であり、（ｂ）は（ａ）と建物の壁材に固定した排水管、オーバーフロー排水管、ストレーナー網受具とを組み合わせ、ストレーナー網を装着する状態の要部斜視図である。
【発明を実施するための形態】
【００１７】
以下、本発明に係る軒先排水構造の複数の実施の形態を図面に基づき詳細に説明する。
【００１８】
（軒先排水構造を適用する建物）
先ず、本発明に係る軒先排水構造の複数の実施の形態を適用した建物について説明する。図１は、軒先排水構造の複数の実施の形態を適用した建物の概略斜視図である。図１において、建物１はフラットな屋根を有する陸屋根構造の２階建ての建物であり、実施の形態１の軒先排水構造１００は、２階部分（最上階）の軒先における排水構造（Ａ部）として適用され、後述する実施の形態３の軒先排水構造１００Ｃは、１階部分のバルコニー部（途中階）の軒先における排水構造（Ｂ部）として適用される。
【００１９】
（軒先排水構造の実施の形態１）
つぎに、本発明の実施の形態１に係る軒先排水構造１００について、図２〜図４を参照して詳細に説明する。図２は、図１のＡ部で示される軒先排水構造１００の要部の垂直方向断面図、図３は、図１のＡ部以外の要部の垂直方向断面図、図４は、図１のＡ部の詳細を示し、（ａ）は本発明の特徴構成である凹部を形成するスペーサの要部斜視図であり、（ｂ）は建物の壁材に排水管とストレーナー網の受具を固定した状態の要部斜視図であり、（ｃ）は（ａ）と（ｂ）とを組み合わせストレーナー網を装着する状態の要部斜視図である。
【００２０】
図２〜図４において、建物１は、例えば鉄骨の柱と梁を組み合わせた構造の建物であり、ルーフ階（最上階）を構成するＨ形鋼の梁２と、図示していない多数の梁と柱とにより構造体を構成している。柱や梁は重量鉄骨を用いた建物、軽量鉄骨を用いた建物のいずれでもよいことは勿論のこと、木造の建物であってもよい。ルーフ階は梁２を含む多数の梁材により構成され、梁２を含む梁材の上方には屋根材として、例えばＡＬＣ（Ａｕｔｏｃｌａｖｅｄ Ｌｉｇｈｔｗｅｉｇｈｔ Ｃｏｎｃｒｅｔｅ）板の屋根材３が水平に固定され、梁２の屋外側には壁材として、同様にＡＬＣ板の壁材４と、サイディング板等の外壁材４Ａが垂直に固定されている。
【００２１】
軒先排水構造１００を備えた建物１の壁材は、前記のように屋外側の外壁材４Ａと、屋内側の壁材４とを隙間を開けて平行に固定した構成であり、この場合には、外壁材４Ａと壁材４との間の隙間は換気通路を構成している。壁材は前記のような２枚構成のものでなく、１枚構成のものであってもよい。
【００２２】
壁材４及び外壁材４Ａは、梁２の上方に位置する屋根材３より上方に延出し、軒先の立上り部５を構成している。建物１では、立上り部５は最上階では２階部分の全周に亘って形成されている。図１に示すように、屋根材３の上面には水勾配Ｋ１がつけられており、屋根面に降った雨水は水勾配に沿って流れる構成となっている。屋根材３と立上り部５との水勾配の低い側の接合部には、屋根材３より低い位置に段差屋根材３Ａが配設されている。屋根材３及び段差屋根材３Ａは、梁２等で構成された天井面上に固定されている。
【００２３】
図２に示すように、屋根材３の屋根面より上方に延出形成された立上り部５には排水管６が水平方向に埋設され、排水管６は壁材４及び外壁材４Ａを貫通し、屋外側にある竪樋７に連通している。竪樋７は外壁材４Ａに支持具７ａで固定されている。そして、屋根材３と壁材４との接合部に段差を有して固定された段差屋根材３Ａ上に、側溝３Ｂが立上り部５に沿って形成されている。この構成により、軒先の立上り部５の根元に、段差状態に側溝３Ｂが設けられる。
【００２４】
図２，３に示すように、屋根材３の上面には側溝３Ｂの方向に水勾配Ｋ１がつけられている。図１で示すように、屋根材３が片流れの場合には側溝３Ｂは水勾配の低い側の片側の立上り部５に沿って形成される。また、図示していないが、両流れの場合には対向する２辺の立上り部５に沿って側溝が形成され、寄席棟等の屋根の場合には４辺の立上り部５に沿って側溝が形成される。このため、屋根材３の上部の屋根面に降った雨水は外周の立上り部５に向けて流れるようになっている。また、側溝３Ｂには排水管６に向かう水勾配が形成され、高位置Ｈから低位置Ｌ（図２参照）に向けて水が流れる構成となっている。図示の例では排水管６は水平に埋設されているが、屋外側に低くなるように僅かな勾配（水勾配）を付けて埋設してもよい。
【００２５】
屋根材３と壁材４との接合部の上部には、屋内側に沿ってスペーサ８が配設され、スペーサ８の下部は側溝３Ｂの上部まで延出している。スペーサ８において、排水管６に対応する位置には凹部９が形成されている。スペーサ８を壁材４に接触させると、凹部９の奥の壁材４の屋内側の立面は、スペーサ８の屋内側の立面から屋外側に落とし込んだ陥没面となっている。凹部９は、屋内側から見た正面形状が矩形であり、その深さは１０〜３０ｍｍ程度が好ましい。凹部９の水平方向の幅は、排水管６の直径の数倍程度が好ましく、排水管６の直径が６０ｍｍの場合には、１５０〜２００ｍｍ程度が好ましい。また、凹部９の垂直方向の高さは、立上り部５の高さの０．５〜０．８倍程度が好ましいが、凹部９の深さ、幅、高さは前記の数値に限定されるものではない。
【００２６】
スペーサ８は板材で構成され、例えば木製の板材や合板、ＡＬＣ板材で形成される。スペーサ８には排水管６の位置に対応して門型の凹部９が形成され、図４（ａ），（ｃ）で示すように、屋内側から見た正面形状が矩形に形成されている。矩形状の凹部９は平行な二つの立上り辺９ａ，９ａを有しており、この立上り辺の角はエッジ部９ｂ，９ｂとなっている。このエッジ部９ｂ，９ｂは、ゴミや落ち葉等をせき止める機能を有している。
【００２７】
軒先排水構造１００では、スペーサ８は壁材４と外壁材４Ａに並んで配設され、立上り部５を形成している。立上り部５の上部には笠木１０が設置され、笠木１０は壁材４と外壁材４Ａ及びスペーサ８の上部を覆っており、これら三つの部材の上端からの建物１内への雨水等の浸入を防止し、壁材４等の上部の雨仕舞いをおこなっている。なお、笠木１０の屋外側の端部は外壁材４Ａより大きく突出して換気通路の出口を構成している。
【００２８】
側溝３Ｂの下部を構成する段差屋根材３Ａ上には、排水管６に対応する位置にストレーナー網１１を着脱可能に固定するための受具１２が固定されている。排水管６の屋内側の開口は、凹部９内に位置しており、屋内側の開口の垂直方向位置は側溝３Ｂの底面より深い位置に埋設され、受具１２には排水管６の開口に向かって下方に傾斜する窪み１２ａが形成され、この窪み１２ａにより側溝３Ｂを流れる雨水等がよどみなく排水管６に流れるようになっている。
【００２９】
軒先排水構造１００を備えた建物１は、シート防水を実施している。すなわち、屋根材３から段差の側溝３Ｂ、凹部９、スペーサ８、笠木１０の上部まで防水シート１３が敷設され、屋根材３を覆う防水シート１３Ａが側溝３Ｂの立上り部で重ねられ、建物１の上部の防水をおこなっている。側溝３Ｂでは、受具１２の表面は防水シート１３で覆われている。排水管６と凹部９のない部位では、図３に示すように、防水シート１３は側溝３Ｂからスペーサ８に沿って立上り、笠木１０まで敷設されている。
【００３０】
ストレーナー網１１はゴミや落ち葉等を通過させず、水を通過させる機能を有するように、メッシュ状に形成されている。ストレーナー網１１は凹部９に配設され、凹部９内に位置すると共に、側溝３Ｂ内に位置しており、水平方向に延びる平面部１１ａと、これに連続し垂直方向に延びる立面部１１ｂとを有する断面がＬ字状に形成されている。なお、平面部１１ａは水平に限らず、若干傾斜していてもよく、立面部１１ｂは鉛直に限らず、若干傾斜していてもよい。
【００３１】
ストレーナー網１１の立面部１１ｂは凹部９内に位置し、ストレーナー網１１に排水管６の開口が臨んでいる。ストレーナー網１１の平面部１１ａは受具１２の窪み１２ａを覆っている。この構成により、排水管６の開口、側溝３Ｂに固定された受具１２の窪み１２ａはストレーナー網１１で覆われ、ゴミや落ち葉等の排水管６への流入が防止されている。ストレーナー網１１は、メッシュ状のもの、スリット状のもの等、適宜のものを用いることができる。
【００３２】
図３に示す、排水管６や凹部９のない立上り部５の部位では、段差屋根材３Ａの上方に側溝３Ｂの深さに合わせて調整板材３Ｃが配設され、この調整板材３Ｃの上面からスペーサ８の屋内側の立面に沿って防水シート１３が敷設され、側溝３Ｂと立上り部５の防水をおこなっている。
【００３３】
以上、詳細に述べたように、軒先排水構造１００は、立上り部５に埋設された排水管６と、立上り部５の屋内側にある凹部９と、凹部９に配設されたストレーナー網１１とを備え、ストレーナー網１１に排水管６の開口が臨んでいる、ものである。
【００３４】
前記の如く構成された軒先排水構造１００の作用について以下に説明する。雨天時に屋根材３の防水シート１３Ａ上に雨が降ると、屋根面の水勾配により雨水は側溝３Ｂに向かって流れ、立上り部５の根元の側溝３Ｂ内に溜まる。屋根面に落ち葉やゴミ等が散乱していると、これらは雨水とともに側溝３Ｂ内に流される。側溝３Ｂには排水管６方向に水勾配が付いているため、雨水、ゴミ、落ち葉等は側溝３Ｂに沿って排水管６方向に流れる。側溝３Ｂは排水管６の方向に水勾配がついており、排水管６の方向に水を流すことができるため軒樋は不要となり、部品点数の削減に繋がる。
【００３５】
側溝３Ｂを落ち葉等とともに流れる雨水は排水管６の方向に流れ、排水管６の周囲に形成された凹部９に到達すると、正面形状が矩形である凹部９の縦方向の二つのエッジ部９ｂ，９ｂに落ち葉等が引っ掛かり、雨水はストレーナー網１１を通過して受具１２を経由して排水管６に流され、竪樋７を通して屋外に排水される。このため、ストレーナー網１１に落ち葉等が堆積して目詰まりすることが防止され、雨水等の排水が円滑におこなわれる。
【００３６】
雨水がストレーナー網１１を通過する際、平面部１１ａを通過して受具１２の窪み１２ａを経由するとともに、立面部１１ｂを通過して排水管６に到達する。風で飛ばされたゴミや落ち葉等が多量の場合に、凹部９のエッジ部９ｂ，９ｂで引っ掛からない落ち葉等は、ストレーナー網１１の平面部１１ａ上に溜まる可能性があるが、立面部１１ｂには落ち葉等が堆積しないため、雨水は立面部１１ｂを通して排水管６に到達し竪樋７を通して排水される。ストレーナー網１１は、受具１２に対して着脱可能に装着されており、止めねじ等を外すことにより受具１２の内部の清掃が容易におこなえる。
【００３７】
このように、軒先排水構造１００では、立上り部５や凹部９を設け、この凹部９にストレーナー網１１を配設したことにより、強風等で屋根上に吹き飛ばされたゴミや落ち葉等がストレーナー網１１に堆積して雨水等の排水を妨げることを防止でき、ストレーナー網１１の目詰まりが防止されることで円滑な排水が可能となる。
【００３８】
（軒先排水構造の実施の形態２）
つぎに、図５を参照して、実施の形態２に係る軒先排水構造１００Ａと、その変形例の軒先排水構造１００Ｂについて説明する。図５は、軒先排水構造の実施の形態２を示す要部斜視図と、その概略平面図、及び実施の形態２の変形例の概略平面図である。図５（ａ）、（ｂ）において、この軒先排水構造１００Ａでは、凹部９は屋内側から見た正面形状は矩形であり、凹部を構成する矩形の２つの立上り辺９ａ，９ａに沿って、それぞれ、凹部９から屋内側へ突出する２つのフランジ１４，１４がねじ止め等で固定されている。フランジ１４，１４は金属板材、樹脂製の板材等を屈曲して、適宜形成される。
【００３９】
軒先排水構造１００Ａでは、ゴミや落ち葉等とともに側溝３Ｂを流れる雨水は、立上り部５の屋内側に形成された凹部９に配設されたストレーナー網１１方向に流される際、凹部９から屋内側に突出するフランジ１４，１４でゴミや落ち葉がより一層効果的にせき止められ、ストレーナー網１１には到達しない。このため、ストレーナー網１１にゴミや落ち葉が堆積して目詰まりすることを防止でき、排水管６のより一層円滑な排水が可能となる。
【００４０】
図５（ｃ）は、実施の形態２の変形例の軒先排水構造１００Ｂを示しており、軒先排水構造１００Ａでは、フランジ１４，１４が屋内側に広がるように突出しているのに対して、軒先排水構造１００Ｂでは、フランジ１４ａ，１４ａは屋内側へつぼまるように突出しているものである。図５（ｃ）に記載の変形例でも、雨水とともに流れてきたゴミや落ち葉等は、フランジ１４ａ，１４ａによりさらに効果的にせき止められ、ストレーナー網１１に到達しないため、ストレーナー網１１の目詰まりを防止することができる。なお、フランジの突出方向、角度、高さ、幅等は適宜設定できるものである。
【００４１】
（軒先排水構造の実施の形態３）
つぎに、本発明の実施の形態３に係る軒先排水構造として、図１の１階部分のＢ部で示すバルコニー部の軒先排水構造１００Ｃを図６，７に基づき詳細に説明する。図６は実施の形態３に係る軒先排水構造１００Ｃを示し、（ａ）は図１のＢ部を示す要部の垂直方向断面図、（ｂ）は（ａ）で用いる排水管ユニットの断面図、図７（ａ）は凹部を形成するスペーサの要部斜視図、（ｂ）は（ａ）と組み合わせストレーナー網を装着する状態の要部斜視図である。なお、軒先排水構造１００Ｃは軒先排水構造１００が最上階の軒先排水構造であるのに対し、途中階（１階）の軒先に適用した排水構造であることを特徴とする。なお、軒先排水構造１００Ｃにおいて、軒先排水構造１００と実質的に同等の構成については同じ符号を付して詳細な説明は省略する。
【００４２】
軒先排水構造１００Ｃは、途中階である１階部分の天井に位置する梁２Ａ上にバルコニー部を備えており、このバルコニー部の排水をおこなうものである。図１に示すように、バルコニー部には軒先方向に向けて水勾配Ｋ２がつけられている。この実施の形態３は、ストレーナー網１１の上部にオーバーフロー防止用の補助ストレーナー口１５を有することを特徴としている。この補助ストレーナー口１５は、多量の落ち葉等が飛来してストレーナー網１１を塞ぎ、側溝３Ｂの上部に多量の雨水が溜まった場合に、雨水が笠木１０を乗り越えて外部に漏れることを防止するものであり、補助ストレーナー口１５を通して雨水が排水管６Ａに流れるように構成している。
【００４３】
補助ストレーナー口１５は、バルコニー部の転落防止用の立上り壁（立上り部）５Ａに埋設されており、排水管６の上部に位置している。この実施の形態３でも、立上り壁５Ａの屋内側には凹部９があり、凹部９にストレーナー網１１が配設され、ストレーナー網１１に排水管６Ａの開口が臨んでいる。補助ストレーナー口１５は、凹部９内にあり、排水管６と同様に屋内側に開口している。補助ストレーナー口１５の開口には補助ストレーナー網１６が装着され、ゴミや落ち葉等の通過を防止している。補助ストレーナー口１５の配管の屋外側にはエルボ等の直角に曲げられたオーバーフロー排水管１７が接続され、排水管６Ａの上部に連通している。なお、補助ストレーナー口１５が凹部９の外側上方に設けられる形態であってもよい。
【００４４】
以上、詳細に述べたように、軒先排水構造１００Ｃは、立上り部５Ａに埋設された排水管６Ａと、立上り部５Ａの屋内側にある凹部９と、凹部９に配設されたストレーナー網１１とを備え、ストレーナー網１１に排水管６Ａの開口が臨んでおり、さらに立上り部５Ａにオーバーフロー排水管１７が埋設され、オーバーフロー排水管１７の一端が排水管６Ａの途中位置に連通し、オーバーフロー排水管１７の多端が凹部９の上方位置で立上り部５Ａの屋内側の側面に臨んでおり、他端に補助ストレーナー網１６が配設されている、ものである。
【００４５】
軒先排水構造１００Ｃにおいても、立上り部５の屋内側にある凹部９にストレーナー網１１が配設され、ストレーナー網１１に排水管６Ａが臨んでいるため、雨水とともに流れてきた落ち葉やゴミは側溝３Ｂを排水管６Ａ方向に流れ、凹部９のコーナーのエッジ部９ｂ，９ｂで引っ掛かって凹部９内に堆積することが防止される。このため、ゴミや落ち葉等の堆積物によるストレーナー網の目詰まりを低減し、雨水等の円滑な排水が可能となる。
【００４６】
軒先排水構造１００Ｃでは、軒先排水構造１００と同様に落ち葉等が堆積して排水管６Ａによる排水が滞ることが防止されているが、万が一排水が滞った場合には、補助ストレーナー口１５を通してオーバーフロー排水管１７を介し排水管６Ａに排水することで、雨水がバルコニー部の立上り壁５Ａ内に多量に溜まることを防止できるメリットがある。
【００４７】
図６，７に示す実施の形態３においても、凹部９の二つの立上り辺９ａ，９ａに沿って、図５に示されるようなフランジ１４，１４ａを設けることができる。このようにフランジを設けることで、ゴミや落ち葉等をさらに効率よくせき止めることができるため、ストレーナー網１１への目詰まりをより低減することができ、円滑な排水が可能となる。
【００４８】
図６（ａ）で用いられた排水管６Ａとオーバーフロー排水管１７とは、図６（ｂ）に示すように、接着等で一体化した排水管ユニット１８として構成し、立上り壁５Ａを構成する壁材４に埋設するものであってもよい。このように一体化した排水管ユニット１８を用いることで、建物１にオーバーフロー排水管を備える軒先排水構造を容易に設置することができる。
【００４９】
以上、本発明の実施の形態について詳述したが、本発明は、前記の実施の形態に限定されるものではなく、特許請求の範囲に記載された本発明の精神を逸脱しない範囲で、種々の設計変更をおこなうことができるものである。例えば、軒先排水構造を備える建物は、鉄骨構造の建物の他に、木造の軸組構造の建物、ツーバイフォー構造の建物やコンクリート製の建物等にも適用できるものである。
【００５０】
屋根材として、ＡＬＣ板の屋根材の例を示したが、これに限られるものでなく、例えば、プレキャストコンクリート板、金属屋根材、他の適宜の屋根材を使用してもよいことは勿論のことである。また、側溝の防水としてシート防水の例を示したが、金属板材を屈曲して樋状とした部材を用いて側溝を形成してもよい。
【００５１】
さらに、立上り部に設けた凹部は、スペーサを加工して形成した例を示したが、これに限らず、ＡＬＣ等の壁材の厚さを増しておき、凹部を設けたい個所にざぐり加工をして凹部を形成することもできる。このように構成することでスペーサを不要として、構成を簡単にすることができる。
【符号の説明】
【００５２】
１：建物、２、２Ａ：梁、３：屋根材、３Ａ：段差屋根材、３Ｂ：側溝、４：壁材、４Ａ：外壁材、５：立上り部、５Ａ：立上り壁（立上り部）、６、６Ａ：排水管、７：竪樋（樋）、８、８Ａ：スペーサ、９：凹部、９ａ：立上り辺、９ｂ：エッジ部、１０：笠木、１１：ストレーナー網、１１ａ：平面部、１１ｂ：立面部、１２：ストレーナー網の受具、１２ａ：窪み、１３：防水シート、１４、１４ａ：フランジ、１５：補助ストレーナー口、１６：補助ストレーナー網、１７：オーバーフロー排水管、１８：排水管ユニット、Ｈ：側溝の水勾配の高位置、Ｌ：側溝の水勾配の低位置、１００，１００Ａ，１００Ｂ，１００Ｃ：軒先排水構造
【図１】
2018105016.tif 000003
【図２】
2018105016.tif 000004
【図３】
2018105016.tif 000005
【図４】
2018105016.tif 000006
【図５】
2018105016.tif 000007
【図６】
2018105016.tif 000008
【図７】
2018105016.tif 000009